(57)【要約】【課題】  ライブビュー撮影において、先幕保持電磁石と後幕保持電磁石の温度差によって生じる、電磁石が離反するまでのタイムラグの差を抑止し、精度の良い露光制御をすること【解決手段】  ライブビュー状態に移行する際に、後幕コイルだけでなく先幕コイルにも通電させ、先幕コイルと後幕コイルの温度上昇を等しくすることにより、精度の良い露光制御を行う。【選択図】  図４
2008256844.tif 000002
【特許請求の範囲】
【請求項１】
被写体像を光電変換して画像信号を出力する撮像手段と、
先幕を駆動するための先幕駆動手段と、
後幕を駆動するための後幕駆動手段と、
前記先幕駆動手段を電磁力で保持する第１の電磁保持手段と、
前記後幕駆動手段を電磁力で保持する第２の電磁保持手段と、
前記撮像手段から出力された前記画像信号を表示する表示手段と、
前記第１の電磁保持手段による電磁力の保持を解除し前記先幕が走行し、前記第２の電磁保持手段による電磁力の保持を行い前記後幕が走行していない状態で、前記撮像手段に入射する被写体像を前記表示手段に順次表示するライブビュー手段を有する撮像装置において、
前記ライブビュー手段によってライブビューが行われている時に、前記第１の電磁保持手段に通電を行う制御手段を有することを特徴とする撮像装置。
【請求項２】
前記制御手段は、前記第１の電磁保持手段による電磁力の保持を解除し前記先幕を走行させたのち、先幕が開ききる前に前記第１の電磁保持手段による通電を開始することを特徴とする請求項１に記載の撮像装置。
【請求項３】
被写体像を光電変換して画像信号を出力する撮像行程と、
先幕を駆動するための先幕駆動行程と、
後幕を駆動するための後幕駆動行程と、
前記先幕駆動行程を電磁力で保持する第１の電磁保持行程と、
前記後幕駆動行程を電磁力で保持する第２の電磁保持行程と、
前記撮像行程から出力された前記画像信号を表示する表示行程と、
前記第１の電磁保持行程による電磁力の保持を解除し前記先幕が走行し、前記第２の電磁保持行程による電磁力の保持を行い前記後幕が走行していない状態で、前記撮像行程に入射する被写体像を前記表示行程に順次表示するライブビュー行程を有する撮像装置の制御方法において、
前記ライブビュー行程によってライブビューが行われている時に、前記第１の電磁保持行程に通電を行う制御行程を有することを特徴とする撮像装置の制御方法。
【請求項４】
前記制御行程は、前記第１の電磁保持行程による電磁力の保持を解除し前記先幕を走行させたのち、先幕が開ききる前に前記第１の電磁保持行程による通電を開始することを特徴とする請求項３に記載の撮像装置の制御方法。
【発明の詳細な説明】
【技術分野】
【０００１】
本発明は、撮像装置及びその制御方法に関し、特にライブビュー機能を有する一眼レフカメラ及びその制御方法に関する。
【背景技術】
【０００２】
フォーカルプレーンシャッターは、先幕（先羽根）と後幕（後羽根）をバネにより走行させるように構成されており、まず、先幕と後幕をチャージ部材により付勢（以下、「チャージ状態」と称す。）されたバネの付勢力に抗して電磁石で吸着保持しておく。
【０００３】
そして、先幕と後幕の走行開始指令が発せられるのに応じて、各電磁石への通電を順次停止して吸着保持を解除し、先幕と後幕を順次走行させることで露光を行う撮像装置が知られている（特許文献１参照）。
【０００４】
また、先羽根がシャッター開口を開いた状態で後幕を保持した状態を保つことで、ＬＣＤ等のモニターで被写体を観察できる（これより、ライブビューという）ような撮像装置が提案されている（特許文献２参照）。
【０００５】
また、電磁石の温度上昇による磁力低下によって、シャッターの開閉時間が変動するのを防ぐ為に、シャッターの走行速度、温度の検出手段および補正手段を設けるという撮像装置も提案されている（特許文献３参照）。
【特許文献１】実公平６−２６８９５号公報
【特許文献２】特開２００１−２３２２０号公報
【特許文献３】特開平６−５９３０６号公報
【発明の開示】
【発明が解決しようとする課題】
【０００６】
特許文献２で提案されているような、ライブビュー機能を備えた撮像装置において、ライブビュー使用中は、後幕保持電磁石に通電し、後幕羽根群を保持しなければならない。
【０００７】
一方、先幕は既に走行を終了している為、先幕保持電磁石は通電を行っていない状態である。
【０００８】
ここで、図６に、通電し続けている後幕保持電磁石と、通電を行っていない状態の先幕保持電磁石との温度差の時間変化を示す。
【０００９】
また、図９にコイル電圧の差によるアマチャとヨークの離反タイミングの違いを示すタイムチャートを示す。
【００１０】
図６に示されているように、通電を始めて３０分程度すると温度上昇は少なくなり、一定の温度になっていることがわかる。
【００１１】
しかし、通電開始から暫くの間は急激に温度上昇が起こることもわかる。
【００１２】
なお、電磁石の大きさ、電圧の大きさによって温度上昇が一定になるまでの時間等は異なる。
【００１３】
また、電磁石は自己誘導起電力を発生するため、通電をカットした直後にアマチャとヨークが離反するわけではなく、図９に示すようにアマチャとヨークが離反するまでにはタイムラグが発生する。
【００１４】
このタイムラグは、図９のＴＨ、ＴＬで示すように、高電圧では長く、低電圧では短くなる。このため、温度上昇した後幕保持電磁石は、先幕保持電磁石に比べ電気抵抗が大きくなり、電圧が下がるので、電磁石の離反タイミングが変化してしまい、露出精度が悪化してしまう。つまり、同じシャッター速度（露出時間）にもかかわらず、通常撮影モード（光学ファインダーで被写体を観察しながら撮影するモード）とライブビューモード（ライブビュー機能を使い被写体を観察しながら撮影するモード）で露出値に差が出てしまう。
【００１５】
この問題を回避するには、後幕保持電磁石に通電し、後幕羽根群を保持し続ける時間を短くすれば良い。
【００１６】
しかしながら、コンパクトデジカメがライブビュー機能を常時オンにした状態で使われている状況が一般的であることを考えれば、ライブビュー機能を搭載した１眼レフデジタルカメラにおいても同様の状況が想定され上記問題の回避は困難である。
【００１７】
一方、上記問題を回避するために、特許文献３に開示されているような撮像装置を用いると、先幕及び後幕保持電磁石の温度差によるシャッターの開閉時間の変動を補正出来るが、温度センサや補正データの演算回路等の補正手段が別途必要となる。
【００１８】
本発明は、上記問題点を鑑みてなされたものであり、その目的とするところは、ライブビュー可能なデジタル一眼レフカメラにおいて、先幕保持電磁石と後幕保持電磁石の温度差によって生じる、電磁石が離反するまでのタイムラグの差を抑制することである。
【００１９】
そして、その結果として、精度の良い露光制御を行うことである。
【課題を解決するための手段】
【００２０】
上記目的を達成するために、本発明の撮像装置は、被写体像を光電変換して画像信号を出力する撮像手段と、前記先幕を駆動するための先幕駆動手段と、前記後幕を駆動するための後幕駆動手段と、前記先幕駆動手段を電磁力で保持する第１の電磁保持手段と、前記後幕駆動手段を電磁力で保持する第２の電磁保持手段と、前記撮像手段から出力された前記画像信号を表示する表示手段と、前記第１の電磁保持手段による電磁力の保持を解除し前記先幕が走行し、前記第２の電磁保持手段による電磁力の保持を行い前記後幕が走行していない状態で、前記撮像手段に入射する被写体像を前記表示手段に順次表示するライブビュー手段を有する撮像装置において、前記ライブビュー手段によってライブビューが行われている時に、前記第１の電磁保持手段に通電を行う制御手段を有することを特徴とする。
【００２１】
上記目的を達成するために、本発明の撮像装置の制御方法は、被写体像を光電変換して画像信号を出力する撮像行程と、先幕を駆動するための先幕駆動行程と、後幕を駆動するための後幕駆動行程と、前記先幕駆動行程を電磁力で保持する第１の電磁保持行程と、前記後幕駆動行程を電磁力で保持する第２の電磁保持行程と、前記撮像行程から出力された前記画像信号を表示する表示行程と、前記第１の電磁保持行程による電磁力の保持を解除し前記先幕が走行し、前記第２の電磁保持行程による電磁力の保持を行い前記後幕が走行していない状態で、前記撮像行程に入射する被写体像を前記表示行程に順次表示するライブビュー行程を有する撮像装置の制御方法において、前記ライブビュー行程によってライブビューが行われている時に、前記第１の電磁保持行程に通電を行う制御行程を有することを特徴とする。
【発明の効果】
【００２２】
本発明によれば、ライブビュー可能なデジタル一眼レフカメラにおいて、先幕保持電磁石と後幕保持電磁石の温度差によって生じる、電磁石が離反するまでのタイムラグの差を抑制し、精度の良い露光制御をすることができる。
【発明を実施するための最良の形態】
【００２３】
以下、添付図面を参照して本発明を実施するための最良の形態を詳細に説明する。ただし、本形態において例示される構成部品の寸法、形状、それらの相対配置などは、本発明が適用される装置の構成や各種条件により適宜変更されるべきものであり、本発明がそれらの例示に限定されるものではない。
【００２４】
＜第１の実施形態＞
図１は本発明の第１の実施形態における撮像装置の構成を示すブロック図である。
【００２５】
１００はカメラ本体、３００はカメラ本体１００に着脱自在であり焦点距離可変機構および焦点合わせ機構（図示せず）を有する交換レンズである。３１０は光学レンズ、３１２は光量調節機能を備える絞り、３３０は光学レンズ３１０の動作を制御するレンズ制御回路である。３４２は測距動作のために焦点距離可変機構の制御をする測距制御回路、３４０は絞り３１２の制御をする絞り制御回路である。交換レンズ３００は、光学レンズ３１０、絞り３１２、レンズ制御回路３３０、測距制御回路３４２、絞り制御回路３４０を備える。
【００２６】
３０６はレンズマウント、１０６はカメラマウントで、交換レンズ３００に備えられたレンズマウント３０６とカメラ本体１００に備えられたカメラマウント１０６は、互いに結合可能な形状をしている。そして、レンズマウント３０６とカメラマウント１０６が結合することにより、カメラ本体１００に交換レンズ３００が装着される。
【００２７】
３２２はレンズ信号接点、１２２がカメラ信号接点で、交換レンズ３００のレンズ信号接点３２２がカメラ本体１００のカメラ信号接点１２２と接触することで、交換レンズ３００とカメラ本体１００は電気的に接続される。
【００２８】
上記した各制御回路はＩ／Ｆ３２０、レンズ信号接点を介してカメラ本体１００と相互に通信を行うことが出来る。１２４は交換レンズ３００の着脱を検知するレンズ着脱検知回路であり、この検知信号はシステム制御回路５０に入力される。
【００２９】
１３０は回転可能に配設されたクイックリターンミラー、１３２はペンタプリズムである。
【００３０】
ミラーダウン状態（図１の状態）で光学レンズを通過した光（以下、入射光と呼ぶ）を上方へ反射し、ミラーアップ状態（図示せず）では、入射光はクイックリターンミラー１３０に反射されることなく、右方へと導かれる。
【００３１】
すなわち、クイックリターンミラー１３０は入射光の経路を切り換える働きをする。クイックリターンミラー１３０の代わりに固定式のハーフミラーを用いて入射光を上方と右方に導いても良い。１０４は被写体像を確認するための光学ファインダーで、入射光はクイックリターンミラー１３０がダウン状態のときはペンタプリズム１３２を介して光学ファインダー１０４へと導かれる。
【００３２】
１２はシャッター、４０はシャッター１２を制御するシャッター制御回路、１４は被写体像を光電変換して画像信号を出力するＣＣＤセンサや、ＣＭＯＳセンサなどの撮像手段としての撮像素子である。
【００３３】
クイックリターンミラー１３０がアップ状態の時は、シャッター制御回路４０によって制御されるシャッター１２を介して撮像素子１４へと導かれる。
【００３４】
１６は撮像素子１４から出力されたアナログ電気信号をデジタル画像信号（以下、画像データという）に変換するＡ／Ｄ変換器である。
【００３５】
２６は画像データをアナログ電気信号に変換するＤ／Ａ変換器、３０は撮像した画像データを格納するためのメモリである。このメモリ３０は、所定枚数の画像データを格納可能な十分な記憶容量を有し、また、システム制御回路５０の作業領域としても使用される。
【００３６】
３２はメモリ３０から画像データを取り込んで、圧縮または伸長処理を施し、圧縮または伸長後の画像データをメモリ３０に書き込む圧縮伸張回路である。
【００３７】
２８は液晶表示パネルからなる表示手段としての画像表示部で、２４は画像表示部２８に表示するための画像データを書き込む画像表示メモリである。
【００３８】
この画像表示メモリ２４から画像データを読み出し、Ｄ／Ａ変換器２６を介して画像表示部２８に転送することによって、撮影した画像が画像表示部２８に順次表示される。
【００３９】
２２はＡ／Ｄ変換器１６、Ｄ／Ａ変換器２６、メモリ３０、圧縮伸張回路３２を制御するメモリ制御回路である。
【００４０】
また、メモリ制御回路２２は、Ａ／Ｄ変換器１６から直接入力された画像データをメモリ３０または画像表示メモリ２４に書き込む処理を行うとともに、メモリ３０または画像表示メモリ２４から画像データを読み出す処理を行う。
【００４１】
また、画像表示部２８の表示は、システム制御回路５０からの指示により任意にオン／オフすることが可能である。
【００４２】
Ａ／Ｄ変換器１６で変換された画像データは、画像処理回路２０またはメモリ制御回路２２に入力される。
【００４３】
２０はＡ／Ｄ変換器１６からの画像データ、または、メモリ制御回路２２からの画像データに対して所定の画像処理、画素補間処理、色変換処理を施す画像処理回路である。
【００４４】
１８はタイミング信号を発生し、そのタイミング信号を撮像素子１４、Ａ／Ｄ変換器１６、Ｄ／Ａ変換器２６に供給するタイミング発生回路である。撮像素子１４、Ａ／Ｄ変換器１６、Ｄ／Ａ変換器２６はこのタイミング信号に基づいて動作する。
【００４５】
２００はカメラ本体１００側のコネクタ９２に接続可能なコネクタ２０６と、カメラ本体１００とのＩ／Ｆ２０４と、画像データを保持する半導体メモリや磁気ディスクなどから構成される記録部２０２とを有する記録媒体である。
【００４６】
２１０はカメラ本体１００側のコネクタ９６に接続可能なコネクタ２１６と、カメラ本体１００とのＩ／Ｆ２１４と、画像データを保持する半導体メモリや磁気ディスクなどから構成される記録部２１２とを有する記録媒体である。
【００４７】
メモリ３０に書き込まれた画像データ（圧縮後の画像データ）は、各Ｉ／Ｆ（インターフェース）９０、９４およびコネクタ９２、９６を介して接続される記録媒体２００、２１０に書き込まれる。
【００４８】
各記録媒体２００、２１０の装着の有無は記録媒体検知手段（図示せず）により検知され、この検知信号はシステム制御回路５０に入力される。
【００４９】
また、本実施形態では、２つの記録媒体２００、２１０を装着可能に構成しているが、これに限定されることはなく、１つまたは３つ以上の記録媒体を装着可能に構成しても良い。
【００５０】
５２はプログラム、定数および変数データなどを格納しているメモリ。
【００５１】
５０はメモリ５２に格納されているプログラム、定数および変数データなどに従いカメラ本体１００全体を制御するシステム制御回路である。
【００５２】
このシステム制御回路５０による制御の１つには、ＴＴＬ（スルーザレンズ）のＡＦ（オートフォーカス）処理、ＡＥ（自動露出）処理、ＥＦ（フラッシュプリ発光）処理の各処理に用いられる制御信号を生成するものがある。
【００５３】
この制御により生成された各制御信号はシャッター制御回路４０、測距手段４２、測光手段４６、フラッシュ４８に供給される。
【００５４】
測距手段４２は、システム制御回路５０からの制御信号に基づき被写体像を合焦させるための信号を発生する。
【００５５】
そして、その信号がシステム制御回路５０、Ｉ／Ｆ１２０、各信号接点１２２、３２２、Ｉ／Ｆ３２０を介して測距制御回路３４２に送られ、合焦状態になるように光学レンズ３１０の焦点合わせ機構を駆動する。
【００５６】
測光手段４６は、入射光の強さを測定する。
【００５７】
システム制御回路５０は測光手段４６による測光値を基に、露光時間と絞り値を決定し、各制御信号をシャッター制御回路４０と絞り制御回路３４０に送信する。
【００５８】
システム制御回路５０からの制御信号に基づき、シャッター制御手段４０がシャッター１２による露光時間を調整し、絞り制御回路３４０が絞り３１２を制御することにより露光量が制御される。
【００５９】
４８は、ＡＦ補助光の投光機能、フラッシュ調光機能を有し、システム制御回路５０からの制御信号に基づき対応する光量のフラッシュ光を発光するフラッシュである。
【００６０】
また、システム制御回路５０は、設定された撮影モードなどに関する情報を表示部５４に表示するための制御を行う。
【００６１】
この表示部５４は、文字、画像、音声などを用いて動作状態やメッセージなどを通知可能なように、液晶表示装置（ＬＣＤ）、発音素子、発光ダイオード（ＬＥＤ）などで構成されている。
【００６２】
また、表示部５４の一部は光学ファインダー１０４内に組み込まれている。
【００６３】
表示部５４のＬＣＤに表示される内容としては、単写／連写撮影表示、セルフタイマー表示、圧縮率表示、記録画素数表示、記録枚数表示、残撮影可能枚数表示、シャッタスピード表示がある。
【００６４】
他には、絞り値表示、露出補正表示、ＷＢモード表示、ＩＳＯ感度表示、フラッシュ表示、電池残量表示、エラー表示、複数桁の数字による情報表示、各記録媒体２００、２１０の着脱状態表示、通信Ｉ／Ｆ動作表示、日付・時刻表示などもある。
【００６５】
さらに、システム制御回路５０は、通信手段１１０を介して外部装置との間で画像データを送受するための制御を行う。
【００６６】
この通信手段１１０は、ＲＳ２３２Ｃ、ＵＳＢ、ＩＥＥＥ１３９４、ＳＣＳＩ、ＬＡＮ、モデム、無線通信などによる通信機能を有し、通信手段１１０には外部装置を接続するためのコネクタ（またはアンテナ）１１２が接続されている。
【００６７】
システム制御回路５０に対する動作指示の入力には、モードダイアル６０、シャッタースイッチ６２、操作部７０、電源スイッチ７６が用いられる。
【００６８】
モードダイアル６０は、カメラ本体１００の各撮影モード（プログラムＡＥ、シャッター優先ＡＥ、絞り優先ＡＥ、マニュアル露出、全自動、スポーツ、夜景、風景等の撮影モード）の切替、設定を行うためのスイッチである。
【００６９】
シャッタースイッチ６２はスイッチ６２ａとスイッチ６２ｂとからなる多段スイッチであり、シャッタースイッチ６２を所定量押し下げるとスイッチ６２ａがオン動作し、さらにスイッチ６２を押し下げるとスイッチ６２ｂがオン動作する。
【００７０】
このスイッチ６２ａのオン動作により、ＡＦ処理、ＡＥ処理、ＥＦ処理などの開始を指示する信号ＳＷ１が出力される。
【００７１】
スイッチ６２ｂのオン動作により撮像素子１４から読み出した信号を画像データとして記録媒体２００、２１０に書き込むまでの撮影動作の開始を指示するスイッチ信号ＳＷ２が出力される。
【００７２】
この撮影動作では具体的には、クイックリターンミラー１３０をアップし、シャッター１２を駆動し、撮像素子１４において光電変換された信号をアンプ（図示せず）、Ａ／Ｄ変換器１６、メモリ制御回路２２を介して、メモリ３０に書き込む露光処理を行う。
【００７３】
そして、画像処理回路２０やメモリ制御回路２２での演算を用いた現像処理、メモリ３０から画像データを読み出して圧縮・伸長回路３２で圧縮し、圧縮後の画像データを記録媒体２００、２１０に書き込む記録処理などを実行する。
【００７４】
操作部７０は、各種ボタンやダイアルなどから構成されている。
【００７５】
具体的には、メニューボタン、セットボタン、再生ボタン、消去ボタン、ジャンプボタン、露出補正ボタン、単写／連写モード切替ボタン、測光モード切替ボタン、ＡＦモード切替ボタン、ＷＢモード切替ボタンがある。
【００７６】
他にも、ＩＳＯ感度設定ボタン、メイン電子ダイアル、サブ電子ダイアルなどか設けられている。ここで、メニューボタンが押下されると、表示部５４には設定画面が表示され、この設定場面上で上記ボタン等を用いて設定する項目が選択される。
【００７７】
上記モードダイアル６０、操作部７０などで設定された変数、モードなどは、ＥＥＰＲＯＭなどからなる不揮発性メモリ５６に格納される。
【００７８】
また、操作部７０に含まれる標準設定状態設定部を操作することで、使用者が所望の設定状態（撮影モード、露出補正値、単写／連写モード、測光モード、ＡＦモード、ＷＢモード、ＩＳＯ感度等の設定状態）を標準設定状態として設定することができる。
【００７９】
このカメラの標準設定状態データは、前記不揮発性メモリ５６に格納される。
【００８０】
システム制御回路５０には、電源制御手段８０から電力が供給される。電源制御手段８０はシステム制御回路５０からの指示に基づき電源８６からの電力を各部へ供給する。電源制御手段８０と電源８６とは、接点８２、８４を介して接続されている。電源８６としては、アルカリ電池などの一次電池、リチウムイオン電池、ニッケル水素電池等の二次電池、または、ＡＣアダプタなどを使用することが出来る。
【００８１】
次に、メカシャッター１２の構成について図２〜図５を参照しながら説明する。
【００８２】
これらの図面は、いずれも撮像装置に組み込まれた状態において、被写体側から見た略左半分だけを示した平面図である。
【００８３】
図２はオーバーチャージ状態、すなわち、チャージレバーによって先幕及び後幕が付勢された状態を示している。
【００８４】
また、図３は先幕及び後幕が走行する前の待機した状態、図４は先幕が走行完了した状態、図５は先幕に加え後幕も走行が完了した状態を示している。
【００８５】
１はシャッター地板であり、先幕羽根群および後幕羽根群の駆動機構を構成する各部品が取り付けられている。１ａは被写体光束が通過するアパーチャであり、シャッター地板１に形成されている。
【００８６】
シャッター地板１の表面に設けられた先幕軸１ｂには、先幕駆動レバー（駆動部材）２が回動可能に支持されている。先幕軸１ｂの外周には不図示のねじりコイルバネが配置されており、このねじりコイルバネは先幕駆動レバー２を図２中の時計回り方向（先幕羽根群を走行させる方向）に付勢している。
【００８７】
先幕駆動レバー２の先端部には不図示の先幕駆動ピンが形成されており、先幕駆動ピンはシャッター地板１に形成された先幕溝部１ｃを貫通して不図示の先幕駆動アームと係合している。先幕駆動アームは、リンク機構を介して先幕羽根群２ａと連結している。先幕羽根群２ａは複数のシャッター羽根で構成されている。
【００８８】
先幕駆動レバー２の回動によって先幕駆動ピンが先幕溝部１ｃに沿って移動すると、先幕駆動アームが回動して先幕羽根群２ａを展開させたり、重畳させたりする。この先幕羽根群２ａの動作によって、アパーチャ１ａを開き状態（被写体光束を通過させる状態）にさせたり、閉じ状態（被写体光束を概ね遮断する状態）にさせたりすることができる。ここで、先幕駆動レバー２は、先幕溝部１ｃによって回動範囲が制限されている。
【００８９】
図２に示すように、先幕駆動レバー２には先幕アマチャ支持部２ｂが設けられており、先幕アマチャ支持部２ｂに形成された不図示の貫通孔部には、貫通孔部の内径よりも大きなフランジ部を有している。そして、先幕アマチャ３に対して一体的に取り付けられた先幕アマチャ軸３ａが係合している。先幕アマチャ軸３ａは、先幕アマチャ３の吸着面に対して略直交方向に延びている。これらは先幕駆動手段の一例である。
【００９０】
先幕アマチャ３と先幕アマチャ支持部材２ｂの間であって、アマチャ軸３ａの外周には、不図示の圧縮バネが配置されており、先幕アマチャ３およびアマチャ支持部材２ｂを互いに離す方向（図２の上下方向）に付勢している。
【００９１】
３ｂは弾性変形可能な先幕衝撃吸収ゴム（衝撃吸収部材）であり、先幕アマチャ支持部２ｂと先幕アマチャ軸３ａとの間であって、先幕アマチャ軸３ａの長手方向と略直交する面内に配置されている。
【００９２】
先幕衝撃吸収ゴム３ｂは、オーバーチャージ状態（第１の状態）から走行開始状態（第２の状態）に移行する際に先幕アマチャ支持部２ｂが先幕アマチャ軸３ａに直接突き当たるのを阻止する。そして、弾性変形することによって先幕アマチャ支持部２ｂから先幕アマチャ軸３ａに加わる衝撃を吸収する。
【００９３】
４は先幕ヨーク（電磁部材）、５は先幕ヨーク４の外周に設けられた第１の電磁保持手段としての先幕コイル（電磁部材）である。先幕コイル５に電圧を印加すると、先幕ヨーク４に電磁力を発生させることができ、この電磁力によって先幕アマチャ３を吸着することができる。
【００９４】
シャッター地板１の表面に設けられた後幕軸１ｄには、後幕駆動レバー（駆動部材）６が回動可能に支持されている。後幕軸１ｄの外周には不図示のねじりコイルバネが配置されており、このねじりコイルバネは後幕駆動レバー６を図２中の時計回り方向（後幕羽根群を走行させる方向）に付勢している。
【００９５】
後幕駆動レバー６の先端部には不図示の後幕駆動ピンが形成されており、後幕駆動ピンはシャッター地板１に形成された先幕溝部１ｅを貫通して不図示の後幕駆動アームと係合している。後幕駆動アームは、リンク機構を介して後幕羽根群６ａ（図２〜４では重畳状態にある）と連結している。後幕羽根群は複数のシャッター羽根で構成されている。
【００９６】
後幕駆動レバー６の回動によって後幕駆動ピンが後幕溝部１ｅに沿って移動すると、後幕駆動アームが回動して後幕羽根群を展開させたり、重畳させたりする。この後幕羽根群の動作によって、アパーチャ１ａを開き状態（被写体光束を通過させる状態）にさせたり、閉じ状態（被写体光束を概ね遮断する状態）にさせたりすることができる。ここで、後幕駆動レバー６は、後幕溝部１ｅによって回動範囲が制限されている。
【００９７】
後幕駆動レバー６には後幕アマチャ支持部６ｂが設けられており、後幕アマチャ支持部６ｂに形成された不図示の貫通孔部には、貫通孔部の内径よりも大きなフランジ部を有し、後幕アマチャ７に対して一体的に取り付けられた後幕アマチャ軸７ａが係合している。後幕アマチャ軸７ａは、後幕アマチャ７の吸着面に対して略直交方向に延びている。これらは後幕駆動手段の一例である。
【００９８】
後幕アマチャ７と後幕アマチャ支持部７ｂの間であって、後幕アマチャ軸７ａの外周には、不図示の圧縮バネが配置されており、後幕アマチャ７および後幕アマチャ支持部７ｂを互いに離す方向（図２の上下方向）に付勢している。
【００９９】
７ｂは弾性変形可能な後幕衝撃吸収ゴムであり、後幕アマチャ支持部６ｂと後幕アマチャ軸７ａとの間であって、後幕アマチャ軸７ａの長手方向と直交する面内に配置されている。後幕衝撃吸収ゴム７ｂは、オーバーチャージ状態から走行開始状態に移行する際に後幕アマチャ支持部６ｂが後幕アマチャ軸７ａに直接突き当たるのを阻止し、弾性変形することによって後幕アマチャ支持部６ｂから後幕アマチャ軸７ａに加わる衝撃を吸収する。
【０１００】
８は後幕ヨーク（電磁部材）、９は後幕ヨーク８の外周に設けられた第２の電磁保持手段としての後幕コイル（電磁部材）である。後幕コイル９に電圧を印加すると、後幕ヨーク８に電磁力を発生させることができ、この電磁力によって後幕アマチャ７を吸着することができる。
【０１０１】
１０はチャージレバーであり、シャッター地板１に設けられたチャージレバー軸１ｆによって回動可能に支持されている。
【０１０２】
チャージレバー１０は、チャージピン１０ａを介して不図示の駆動レバー部材に連結されており、この駆動レバー部材は駆動源からの駆動力を受けて回動する。
【０１０３】
チャージレバー１０に形成されたカム部１０ｂは、チャージレバー１０の回動に応じて、先幕駆動レバー２に設けられた先幕チャージコロ２ｃに当接して、先幕駆動レバー２を回動させる。
【０１０４】
具体的には、チャージレバー１０のカム部１０ｂは、先幕羽根群２ａの走行を完了させた状態にある（先幕羽根群２ａを重畳状態とさせたときの）先幕駆動レバー２を、図２中反時計回り方向に回動させる。そうすることにより、走行前待機状態を経て、オーバーチャージ状態とさせる。
【０１０５】
チャージレバー１０に形成されたカム部１０ｃは、チャージレバー１０の回動に応じて、後幕駆動レバー６に設けられた後幕チャージコロ６ｃに当接して、後幕駆動レバー６を回動させる。具体的には、チャージレバー１０のカム部１０ｃは、後幕羽根群の走行を完了させた状態にある（後幕羽根群を展開状態とさせたときの）後幕駆動レバー６を、図２中反時計回り方向に回動させる。そうすることによって、走行前待機状態を経て、オーバーチャージ状態とさせる。
【０１０６】
次に、実際に撮影を行う際のメカシャッター１２の動作について説明する。
【０１０７】
まず、光学ファインダー１０４で被写体を観察しながら撮影するモード（通常撮影モード）でのメカシャッター１２の動作について、図２〜５、図７、８を用いて説明する。
【０１０８】
図２の状態でシャッタースイッチ６２が押されると、クイックリターンミラー１３０のアップ動作を行い、先幕コイル５、後幕コイル９への通電を開始するとともに、チャージレバー１０が反時計回りに回転する。すると、チャージレバー１０のカム部１０ｂ、１０ｃから、先幕チャージコロ２ｃ、後幕チャージコロ６ｃが離れ、図３に示すメカシャッタ−１２が走行する前の待機した状態へと移行する。
【０１０９】
図３に示す状態では、先幕アマチャ３と後幕アマチャ７が電磁的に吸着保持されているため、先幕駆動レバー２と後幕駆動レバー６は回転しない。その後、操作部７０によって設定されたシャッター秒時（露出時間）に対応する時間間隔Ｔ１を設けて、先幕コイル５、後幕コイル９の通電を解除する。その時の先幕コイルと後幕コイルの様子を図７に示す。
【０１１０】
そして、チャージレバー１０が時計回りに回転し、カム部１０ｂ、１０ｃが先幕チャージコロ２ｃ、後幕チャージコロ６ｃを押す（チャージ動作と呼ぶ）ことで図２の状態に戻る。
【０１１１】
次に、ライブビューモードで撮影を行う際のメカシャッター１２の動作について、図２〜６を用いて説明する。
【０１１２】
操作部７０の一部であるライブビュースタートボタンが押されると、クイックリターンミラー１３０のアップ動作を行い、先幕コイル５、後幕コイル９への通電を開始するとともに、チャージレバー１０が反時計回りに回転する。なお、ここでいうライブビューボタンとは、通常撮影モードからライブビューモードへの切り換えを行うボタンであり、ボタンが押されるとライブビューモードでの撮影の準備が開始される。
【０１１３】
すると、チャージレバー１０のカム部１０ｂ、１０ｃから、先幕チャージコロ２ｃ、後幕チャージコロ６ｃが離れ、図３に示すメカシャッタ−１２が走行する前の待機した状態へと移行する。
【０１１４】
次に先幕コイル５の通電を解除することで、メカシャッター１２は、撮像素子１４へ被写体光を導く状態（図４の状態）になり、ライブビューを開始する。
【０１１５】
つまり、撮像素子１４への入射光を遮っていた先幕が走行完了し、入射光を遮るものがなくなるので、撮像素子１４へ被写体光が入射する。
【０１１６】
さらに、先幕が走行完了し、ライブビューが開始されると同時に、先幕コイル５への通電を再開する。なお、先幕コイル５への通電開始のタイミングは先幕が走行完了したタイミングで通電を開始しても良いし、先幕の通電を切り、先幕が走行開始した直後から再び通電を開始しても良い。
【０１１７】
ライブビュー状態でシャッタースイッチ７２が押されると、先幕コイル５および後幕コイル９の通電が解除され、後幕羽群６ａが走行し、アパーチャ１ａを遮蔽した図５の状態へと移行する。そして、チャージレバー１０が時計回りに回転し、カム部１０ｂ、１０ｃが先幕チャージコロ２ｃ、後幕チャージコロ６ｃを押すことで図２の状態に戻る。この動作の後あるいはほぼ同時に撮像素子１４の画素のリセット走査が行われ、その後に前記の撮影動作が行われる。
【０１１８】
ライブビュー中に先幕コイル５への通電を行わない場合には、後幕コイル９のみが発熱し、後幕コイル９の抵抗が上昇する。抵抗が上昇すると、後幕コイル９に流れる電流が減少してしまうため、後幕アマチャ７と後幕ヨーク８が離反するタイムラグが更に早くなってしまう。つまり、ライブビュー状態を継続する時間が長くなると、その時間に応じて、後幕アマチャ７と後幕ヨーク８が離反するタイムラグが変化してしまう。一方、先幕コイル５は通電が行われていないので、先幕コイル５は発熱せず、先幕アマチャ３と先幕ヨーク４の離反するタイムラグは通常撮影時と変わらない。従って、先幕アマチャ３と先幕ヨーク４の離反するタイムラグと後幕アマチャ７と後幕ヨーク８が離反するタイムラグは同一にはならず、露出精度が悪化してしまう。
【０１１９】
そこで、先幕コイル５、後幕コイル９への通電時間を等しくすれば、図８に示すように、先幕コイル５、後幕コイル９の温度上昇は等しくなる。
【０１２０】
したがって、コイルの温度上昇による先幕アマチャ３と先幕ヨーク４の離反するタイムラグと後幕アマチャ７と後幕ヨーク８が離反するタイムラグを等しくすることができ、精度の良い露光制御が可能となる。
【０１２１】
以上説明したように、本発明の実施形態によれば、ライブビュー中にも先幕コイルに通電を続けるので、先幕保持電磁石と後幕保持電磁石の温度差によって生じる、電磁石が離反するまでのタイムラグの差を抑止し、精度の良い露光制御をすることができる。
【図面の簡単な説明】
【０１２２】
【図１】本発明の実施形態を示すブロック図
【図２】チャージレバーによって先幕及び後幕が付勢された状態を示す平面図
【図３】先幕及び後幕が走行する前の待機した状態を示す平面図
【図４】先幕が走行完了した状態を示す平面図
【図５】先幕と後幕がともに走行完了した状態を示す平面図
【図６】本発明の実施形態のフォーカルプレーンシャッターの、先幕コイルに対する後幕コイルの温度差の変化を示すグラフ
【図７】従来例のフォーカルプレーンシャッターの電圧制御タイムチャート
【図８】本発明の実施形態のフォーカルプレーンシャッターの、コイルへの通電時間に対する温度上昇を示すグラフ
【図９】コイル電圧の差によるアマチャ・ヨークの離反タイミングの違いを表すタイムチャート
【符号の説明】
【０１２３】
１  シャッター地板
１ａ  アパーチャ
１ｂ  先幕軸
１ｃ  先幕溝部
１ｄ  後幕軸
１ｅ  後幕溝部
１ｆ  チャージレバー軸
２  先幕駆動レバー
２ａ  先幕羽根群
２ｂ  先幕アマチャ支持部
２ｃ  先幕チャージコロ
３  先幕アマチャ
３ａ  先幕アマチャ軸
３ｂ  先幕衝撃吸収ゴム
４  先幕ヨーク
５  先幕コイル
６  後幕駆動レバー
６ａ  後幕羽根群
６ｂ  後幕アマチャ支持部
６ｃ  後幕チャージコロ
７  後幕アマチャ
７ａ  後幕アマチャ軸
７ｂ  後幕衝撃吸収ゴム
８  後幕ヨーク
９  後幕コイル
１０  チャージレバー
１０ａ  チャージピン
１０ｂ、１０ｃ  カム部
１２  メカシャッター
１４  撮像素子
１６  Ａ／Ｄコンバータ
１８  タイミング発生回路
２０  画像処理回路
２２  メモリ制御回路
２４  画像表示メモリ
２６  Ｄ／Ａコンバータ
２８  画像表示部
３０、５２  メモリ
３２  圧縮伸長回路
４０  シャッター制御回路
４２  測距手段
４６  測光手段
４８  フラッシュ
５０  システム制御回路
５４  表示部
５６  不揮発性メモリ
６０  モードダイアル
６２  シャッタースイッチ
７０  操作部
７６  電源スイッチ
８０  電源制御手段
８２、８４  接点
８６  電源
９０、９４、１２０、２０４、２１４、３２０  Ｉ／Ｆ
９２、９６、２０６、２１６  コネクタ
１００  カメラ
１０４  光学ファインダー
１０６  カメラマウント
１１０  通信手段
１１２  コネクタ（アンテナ）
１２２  カメラ信号接点
１２４  レンズ着脱検知回路
１３０  クイックリターンミラー
１３２  ペンタプリズム
２００、２１０  記録媒体
２０２、２１２  記録部
３００  交換レンズ
３０６  レンズマウント
３１０  光学レンズ
３１２  絞り
３２２  レンズ信号接点
３４０  絞り制御回路
３４２  測距制御回路
３４４  レンズ制御回路
【図１】
2008256844.tif 000003
【図２】
2008256844.tif 000004
【図３】
2008256844.tif 000005
【図４】
2008256844.tif 000006
【図５】
2008256844.tif 000007
【図６】
2008256844.tif 000008
【図７】
2008256844.tif 000009
【図８】
2008256844.tif 000010
【図９】
2008256844.tif 000011